(57)【要約】【課題】情報記録媒体上にオーディオ属性の異なる複数の楽曲が記録されている場合において、異なるオーディオ属性の楽曲を連続して再生する際に、各々の属性に合わせて正しくかつ円滑に再生を行う。【解決手段】情報再生装置は、情報記録媒体上に予め記録された全てのオーディオ情報についての属性を示す集合属性情報、又は、情報記録装置上に記録されたオーディオ情報の個々の属性情報から作成された集合属性情報テーブルを記憶部に記憶する。ユーザから再生すべき曲の指示があると、再生装置はその曲に対応する属性を設定し、その曲の再生を実行する。複数の曲の連続再生において、次に再生する曲の属性が現在の曲の属性と異なる場合、再生装置は、現在の曲の再生終了後、直ちに集合属性情報を参照して属性設定の変更を行うとともに、次の曲のサーチを行う。再生装置の属性設定の変更が完了した後、次の曲の再生を開始する。【選択図】　　　図１０
2004005985.tif 000002
【特許請求の範囲】
【請求項１】
相互に独立して再生されるべき複数の単位オーディオ情報と、
各々が１以上の前記単位オーディオ情報により構成される集合オーディオ情報と、
前記集合オーディオ情報に含まれる全ての前記単位オーディオ情報の属性を示す単位属性情報と、
前記記録媒体に含まれる全ての前記集合オーディオ情報に対応する前記単位属性情報を含む集合属性情報と、を有する情報記録媒体。
【請求項２】
前記集合属性情報は、前記情報記録媒体において最初に読み取られる位置に配置される請求項１記載の情報記録媒体。
【請求項３】
前記集合属性情報は、少なくとも前記単位オーディオ情報を符号化する際のサンプリング周波数、量子化ビット数、チャンネル数、及び、エンファシス処理の有無の情報を含む請求項１記載の情報記録媒体。
【請求項４】
相互に独立して再生されるべき複数の単位オーディオ情報と、各々が１以上の前記単位オーディオ情報により構成される集合オーディオ情報と、前記集合オーディオ情報に含まれる全ての前記単位オーディオ情報の属性を示す単位属性情報と、前記記録媒体に含まれる全ての前記集合オーディオ情報に対応する前記単位属性情報を含む集合属性情報と、を有する情報記録媒体の再生装置において、
前記情報記録媒体から情報を読み取る読取手段と、
読取手段により読み取られた前記集合属性情報を記憶する記憶手段と、
ユーザにより指定される連続して再生されるべき単位オーディオ情報の再生指示を受け取る入力手段と、
前記記憶手段に記憶された集合属性情報に基づいて再生のための属性を設定し、その属性設定に従ってユーザにより指定された単位オーディオ情報を再生する再生手段と、を有し、前記再生手段は、
前記指定された複数の単位オーディオ情報の各々に対応する属性を前記記憶手段中の前記集合属性情報から取得する取得手段と、
前記取得手段により取得された、連続して再生されるべき前記単位オーディオ情報に対応する属性が同一であるか否かを判別する判別手段と、
前記判別手段が属性が異なることを判別した場合、１つの単位オーディオ情報の再生終了後直ちに、続いて再生されるべき次の１つの単位オーディオ情報の属性設定を開始する属性変更手段と、を備える再生装置。
【請求項５】
相互に独立して再生されるべき複数の単位オーディオ情報と、各々が１以上の前記単位オーディオ情報により構成される集合オーディオ情報と、前記集合オーディオ情報に含まれる全ての前記単位オーディオ情報の属性を示す単位属性情報と、を有する情報記録媒体の再生装置において、
前記情報記録媒体から情報を読み取る読取手段と、
前記読取手段により前記記録媒体に含まれる全ての前記集合オーディオ情報に対応する前記単位属性情報を取得し、集合属性情報テーブルを作成するテーブル作成手段と、
作成された前記集合属性情報テーブルを記憶する記憶手段と、
ユーザにより指定される連続して再生されるべき複数の単位オーディオ情報の再生指示を受け取る入力手段と、
前記記憶手段に記憶された集合属性情報テーブルに基づいて再生のための属性を設定し、その属性設定に従ってユーザにより指定された単位オーディオ情報を再生する再生手段と、を有し、前記再生手段は、
前記指定された複数の単位オーディオ情報の各々に対応する属性を前記記憶手段中の前記集合属性情報テーブルから取得する取得手段と、
前記取得手段により取得された、連続して再生されるべき前記単位オーディオ情報に対応する属性が同一であるか否かを判別する判別手段と、
前記判別手段が属性が異なることを判別した場合、１つの単位オーディオ情報の再生終了後直ちに、続いて再生されるべき次の１つの単位オーディオ情報の属性設定を開始する属性変更手段と、を備える情報再生装置。
【請求項６】
前記再生手段は、前記１つの単位オーディオ情報の再生終了直ちに前記次の１つの単位オーディオ情報の前記情報記録媒体上の記録位置へ前記読取手段を移動させ、移動開始から所定の待機時間の経過後に移動後の記録位置から前記次の１つの単位オーディオ情報の読取を開始させるサーチ手段を有する請求項４又は５に記載の再生装置。
【請求項７】
前記待機時間は、前記属性変更手段による属性設定の変更に要する時間よりも長い時間である請求項６記載の再生装置。
【請求項８】
相互に独立して再生されるべき複数の単位オーディオ情報と、各々が１以上の前記単位オーディオ情報により構成される集合オーディオ情報と、前記集合オーディオ情報に含まれる全ての前記単位オーディオ情報の属性を示す単位属性情報と、前記記録媒体に含まれる全ての前記集合オーディオ情報に対応する前記単位属性情報を含む集合属性情報と、を有する情報記録媒体の再生方法において、
前記情報記録媒体から前記集合属性情報を読み取り、記憶部に記憶する記憶工程と、
ユーザにより指定される連続して再生されるべき複数の単位オーディオ情報の再生指示を受け取る入力工程と、
前記記憶部に記憶された集合属性情報に基づいて再生のための属性を設定し、その属性設定に従ってユーザにより指定された単位オーディオ情報を再生する再生工程と、を有し、前記再生工程は、
前記指定された複数の単位オーディオ情報の各々に対応する属性を前記記憶部中の前記集合属性情報から取得する取得工程と、
前記取得工程により取得された、連続して再生されるべき前記単位オーディオ情報に対応する属性が同一であるか否かを判別する判別工程と、
前記判別工程により属性が異なることが判別された場合、１つの単位オーディオ情報の再生終了後直ちに、続いて再生されるべき次の１つの単位オーディオ情報の属性設定を開始する属性変更工程と、を備える再生方法。
【請求項９】
相互に独立して再生されるべき複数の単位オーディオ情報と、各々が１以上の前記単位オーディオ情報により構成される集合オーディオ情報と、前記集合オーディオ情報に含まれる全ての前記単位オーディオ情報の属性を示す単位属性情報と、を有する情報記録媒体の再生方法において、
前記記録媒体に含まれる全ての前記集合オーディオ情報に対応する前記単位属性情報を読み取り、集合属性情報テーブルを作成するテーブル作成工程と、
前記テーブル作成工程により作成された前記集合属性情報テーブルを記憶部に記憶する記憶工程と、
ユーザにより指定される連続して再生されるべき複数の単位オーディオ情報の再生指示を受け取る入力工程と、
前記記憶部に記憶された集合属性情報テーブルに基づいて再生のための属性を設定し、その属性設定に従ってユーザにより指定された単位オーディオ情報を再生する再生工程と、を有し、前記再生工程は、
前記指定された複数の単位オーディオ情報の各々に対応する属性を前記記憶部中の前記集合属性情報テーブルから取得する取得工程と、
前記取得工程により取得された、連続して再生されるべき前記単位オーディオ情報に対応する属性が同一であるか否かを判別する判別工程と、
前記判別工程により属性が異なることが判別した場合、１つの単位オーディオ情報の再生終了後直ちに、続いて再生されるべき次の１つの単位オーディオ情報の属性設定を開始する属性変更工程と、を有する再生方法。
【請求項１０】
前記再生工程は、
前記１つの単位オーディオ情報の再生終了直ちに前記次の１つの単位オーディオ情報の前記情報記録媒体上の記録位置へ読取手段を移動させ、移動開始から所定の待機時間の経過後に移動後の記録位置から前記次の１つの単位オーディオ情報の読取を開始させる移動サーチ工程を有する請求項８又は９に記載の再生方法。
【請求項１１】
前記待機時間は、前記属性変更工程による属性設定の変更に要する時間よりも長い時間である請求項１０記載の再生方法。
【発明の詳細な説明】
【０００１】
【発明の属する技術分野】
本発明は、ＤＶＤに代表される映像、音声等の情報を高密度に記録可能な高密度光ディスク等の情報記録媒体、及び当該情報記録媒体から情報を再生するための再生装置の技術分野に属する。
【０００２】
【従来の技術】
従来は、映像、音声等の情報が記録された光ディスクとしては、いわゆるＬＤ（Ｌａｓｅｒ　Ｄｉｓｋ）、ＣＤ（Ｃｏｍｐａｃｔ　Ｄｉｓｋ）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【０００４】
しかし、上記ＬＤ等においては、表示される映像や再生される音声について視聴者が選択枝をもち、当該視聴者がそれらを選択して視聴する等のいわゆるインタラクティブな変化に富んだ再生はできないという問題点があった。
【０００５】
すなわち、例えば、ＬＤに記録されている外国映画を視聴する場合に、画面に表示されている字幕で用いられている言語を選択して（例えば、日本語の字幕と原語の字幕を選択して）表示させたり、又はＣＤに記録されている音楽を聴取する場合に、その音楽の音声を選択する（例えば、英語の歌詞で聞くか或は日本語の歌詞で聞くかを選択する）ことができないのである。
【０００６】
一方、現在、上記従来のＣＤに対して、光ディスク自体の大きさを変えずに記憶容量を約１０倍に向上させた光ディスクであるＤＶＤについての提案や開発が盛んであるが、このＤＶＤに対して、上記複数の字幕や複数の言語で音声等を記録しておけば、視聴者がそれを選択することにより上記インタラクティブな変化に富んだ再生を楽しむことも可能となる。
【０００７】
【発明が解決しようとする課題】
上記ＤＶＤにおいては、複数の音楽情報を記録する際、その音楽情報の符号化方式、サンプリング周波数、量子化ビット数、チャンネル数、エンファシスの有無、などの属性（以下、「オーディオ属性」と呼ぶ。）の異なる情報を１枚のディスク上に混在させて記録することができる。
【０００８】
しかし、これらオーディオ属性が異なる音楽情報を再生する際には、再生装置がそれら異なるオーディオ属性に対応して再生動作を行う必要がある。例えば、音楽情報をスピーカにより出力する場合、ＤＶＤ上に記録されたオーディオ情報をデジタル／アナログ変換し、アナログ信号としてアンプ、さらにスピーカへと供給する必要がある。この場合、連続して再生しようとする楽曲のサンプリング周波数が異なる場合（例えば、１曲目が４８ｋＨｚ、２曲目が９６ｋＨｚなど）、再生装置は、１曲目の再生後、２曲目のデータを受け取って始めてサンプリング周波数の変化に気づき、Ｄ／Ａ変換器のクロック周波数を９６ｋＨｚに変更する処理を開始することになる。しかし、変更後の周波数に回路（ＰＬＬ回路）がロックするにはある程度の時間を要するため、周波数の変更が２曲目の開始に間に合わず、先頭部分が正しく再生できなくなるなどの不具合が生じうる。このような問題は、サンプリング周波数の変更に限らず、量子化ビット数、エンファシスの有無の変更など、様々のオーディオ属性の変更に伴って生じうる。
【０００９】
本発明は、以上の点に鑑みてなされたもので、その課題は、オーディオ属性の異なる複数の楽曲が記録されている場合に、異なるオーディオ属性の楽曲を連続して再生する際に、各々の属性に合わせて正しくかつ円滑に再生を行うことができるような記録態様で該音楽情報が記録された情報記録媒体を提供することにある。
【００１０】
また、本発明の他の課題は、上記のような態様で音楽情報が記録された情報記録媒体から情報を再生する情報再生装置を提供することにある。
【００１１】
【課題を解決するための手段】
上記の課題を解決するために、請求項１に記載の発明は、相互に独立して再生されるべき複数の単位オーディオ情報と、各々が１以上の前記単位オーディオ情報により構成される集合オーディオ情報と、前記集合オーディオ情報に含まれる全ての前記単位オーディオ情報の属性を示す単位属性情報と、前記記録媒体に含まれる全ての前記集合オーディオ情報に対応する前記単位属性情報を含む集合属性情報と、を有するように構成する。
【００１２】
上記のように構成された情報記録媒体によれば、複数の単位オーディオ情報、及び、それらの集合により構成される集合オーディオ情報が記録される。また、各単位オーディオ情報の属性を示す単位属性情報が記録され、さらに、当該記録媒体上の全ての集合オーディオ情報に対応する単位属性情報が集合属性情報として記録される。よって、集合属性情報を参照することにより、全ての単位オーディオ情報の属性を容易且つ迅速に得ることができる。
【００１３】
請求項２記載の発明は、請求項１記載の情報記録媒体において、前記集合属性情報は、前記情報記録媒体において最初に読み取られる位置に配置されるように構成される。従って、情報記録媒体を再生装置に装着すると、先ず前記集合属性情報が読み取られ、当該情報に基づいた再生制御が可能となる。
【００１４】
請求項３記載の発明は、請求項１記載の情報記録媒体において、前記集合属性情報は、少なくとも前記単位オーディオ情報を符号化する際のサンプリング周波数、量子化ビット数、チャンネル数、及び、エンファシス処理の有無の情報を含むように構成する。従って、再生装置はこの情報を容易に取得することができ、迅速な再生が可能となる。
【００１５】
請求項４記載の発明は、相互に独立して再生されるべき複数の単位オーディオ情報と、各々が１以上の前記単位オーディオ情報により構成される集合オーディオ情報と、前記集合オーディオ情報に含まれる全ての前記単位オーディオ情報の属性を示す単位属性情報と、前記記録媒体に含まれる全ての前記集合オーディオ情報に対応する前記単位属性情報を含む集合属性情報と、を有する情報記録媒体の再生装置において、前記情報記録媒体から情報を読み取る読取手段と、読取手段により読み取られた前記集合属性情報を記憶する記憶手段と、ユーザにより指定される連続して再生されるべき単位オーディオ情報の再生指示を受け取る入力手段と、前記記憶手段に記憶された集合属性情報に基づいて再生のための属性を設定し、その属性設定に従ってユーザにより指定された単位オーディオ情報を再生する再生手段と、を有し、前記再生手段は、前記指定された複数の単位オーディオ情報の各々に対応する属性を前記記憶手段中の前記集合属性情報から取得する取得手段と、前記取得手段により取得された、連続して再生されるべき前記単位オーディオ情報に対応する属性が同一であるか否かを判別する判別手段と、前記判別手段が属性が異なることを判別した場合、１つの単位オーディオ情報の再生終了後直ちに、続いて再生されるべき次の１つの単位オーディオ情報の属性設定を開始する属性変更手段と、を備えるように構成する。
【００１６】
また、請求項８記載の発明によれば、相互に独立して再生されるべき複数の単位オーディオ情報と、各々が１以上の前記単位オーディオ情報により構成される集合オーディオ情報と、前記集合オーディオ情報に含まれる全ての前記単位オーディオ情報の属性を示す単位属性情報と、前記記録媒体に含まれる全ての前記集合オーディオ情報に対応する前記単位属性情報を含む集合属性情報と、を有する情報記録媒体の再生方法において、前記情報記録媒体から前記集合属性情報を読み取り、記憶部に記憶する記憶工程と、ユーザにより指定される連続して再生されるべき複数の単位オーディオ情報の再生指示を受け取る入力工程と、前記記憶部に記憶された集合属性情報に基づいて再生のための属性を設定し、その属性設定に従ってユーザにより指定された単位オーディオ情報を再生する再生工程と、を有し、前記再生工程は、前記指定された複数の単位オーディオ情報の各々に対応する属性を前記記憶部中の前記集合属性情報から取得する取得工程と、前記取得工程により取得された、連続して再生されるべき前記単位オーディオ情報に対応する属性が同一であるか否かを判別する判別工程と、前記判別工程により属性が異なることが判別された場合、１つの単位オーディオ情報の再生終了後直ちに、続いて再生されるべき次の１つの単位オーディオ情報の属性設定を開始する属性変更工程と、を有するように構成する。
【００１７】
以上のように構成された再生装置又は再生方法によれば、まず、前記情報記録媒体から前記集合属性情報が読み取られ、記憶部に記憶される。次に、ユーザにより指定される連続して再生されるべき複数の単位オーディオ情報の再生指示が入力され、記憶部に記憶された集合属性情報に基づいて再生のための属性が設定され、その属性設定に従ってユーザにより指定された単位オーディオ情報が再生される。再生においては、前記指定された複数の単位オーディオ情報の各々に対応する属性が前記記憶部中の前記集合属性情報から取得され、前記取得工程により取得された、連続して再生されるべき前記単位オーディオ情報に対応する属性が同一であるか否かが判別される。そして、属性が異なることが判別された場合、１つの単位オーディオ情報の再生終了後直ちに、続いて再生されるべき次の１つの単位オーディオ情報の属性設定が開始される。
【００１８】
従って、連続して再生されるべき単位オーディオ情報の属性が異なり、再生装置において対応する設定変更が必要となる場合でも、次に再生されるべき単位オーディオ情報の属性が集合属性情報から迅速に取得でき、再生装置の設定変更が容易かつ迅速に行われる。
【００１９】
請求項５記載の発明は、相互に独立して再生されるべき複数の単位オーディオ情報と、各々が１以上の前記単位オーディオ情報により構成される集合オーディオ情報と、前記集合オーディオ情報に含まれる全ての前記単位オーディオ情報の属性を示す単位属性情報と、を有する情報記録媒体の再生装置において、前記情報記録媒体から情報を読み取る読取手段と、前記読取手段により前記記録媒体に含まれる全ての前記集合オーディオ情報に対応する前記単位属性情報を取得し、集合属性情報テーブルを作成するテーブル作成手段と、作成された前記集合属性情報テーブルを記憶する記憶手段と、ユーザにより指定される連続して再生されるべき複数の単位オーディオ情報の再生指示を受け取る入力手段と、前記記憶手段に記憶された集合属性情報テーブルに基づいて再生のための属性を設定し、その属性設定に従ってユーザにより指定された単位オーディオ情報を再生する再生手段と、を有し、前記再生手段は、前記指定された複数の単位オーディオ情報の各々に対応する属性を前記記憶手段中の前記集合属性情報テーブルから取得する取得手段と、前記取得手段により取得された、連続して再生されるべき前記単位オーディオ情報に対応する属性が同一であるか否かを判別する判別手段と、前記判別手段が属性が異なることを判別した場合、１つの単位オーディオ情報の再生終了後直ちに、続いて再生されるべき次の１つの単位オーディオ情報の属性設定を開始する属性変更手段と、を備えるように構成する。
【００２０】
また、請求項９記載の発明は、相互に独立して再生されるべき複数の単位オーディオ情報と、各々が１以上の前記単位オーディオ情報により構成される集合オーディオ情報と、前記集合オーディオ情報に含まれる全ての前記単位オーディオ情報の属性を示す単位属性情報と、を有する情報記録媒体の再生方法において、前記記録媒体に含まれる全ての前記集合オーディオ情報に対応する前記単位属性情報を読み取り、集合属性情報テーブルを作成するテーブル作成工程と、前記テーブル作成工程により作成された前記集合属性情報テーブルを記憶部に記憶する記憶工程と、ユーザにより指定される連続して再生されるべき複数の単位オーディオ情報の再生指示を受け取る入力工程と、前記記憶部に記憶された集合属性情報テーブルに基づいて再生のための属性を設定し、その属性設定に従ってユーザにより指定された単位オーディオ情報を再生する再生工程と、を有し、前記再生工程は、前記指定された複数の単位オーディオ情報の各々に対応する属性を前記記憶部中の前記集合属性情報テーブルから取得する取得工程と、前記取得工程により取得された、連続して再生されるべき前記単位オーディオ情報に対応する属性が同一であるか否かを判別する判別工程と、前記判別工程により属性が異なることが判別した場合、１つの単位オーディオ情報の再生終了後直ちに、続いて再生されるべき次の１つの単位オーディオ情報の属性設定を開始する属性変更工程と、を有するように構成される。
【００２１】
以上のように構成された再生装置又は再生方法によれば、まず、情報記録媒体から前記記録媒体に含まれる全ての前記集合オーディオ情報に対応する前記単位属性情報が読み取られ、集合属性情報テーブルが作成され、記憶部に記憶される。次に、ユーザにより指定される連続して再生されるべき複数の単位オーディオ情報の再生指示が入力され、記憶部に記憶された集合属性情報テーブルに基づいて再生のための属性が設定され、その属性設定に従ってユーザにより指定された単位オーディオ情報が再生される。再生においては、前記指定された複数の単位オーディオ情報の各々に対応する属性が前記記憶部中の前記集合属性情報テーブルから取得され、前記取得工程により取得された、連続して再生されるべき前記単位オーディオ情報に対応する属性が同一であるか否かが判別される。そして、属性が異なることが判別された場合、１つの単位オーディオ情報の再生終了後直ちに、続いて再生されるべき次の１つの単位オーディオ情報の属性設定が開始される。
【００２２】
従って、連続して再生されるべき単位オーディオ情報の属性が異なり、再生装置において対応する設定変更が必要となる場合でも、次に再生されるべき単位オーディオ情報の属性が集合属性情報から迅速に取得でき、再生装置の設定変更が容易かつ迅速に行われる。
【００２３】
請求項６に記載の発明は、請求項４又は５に記載の再生装置において、前記再生手段は、前記１つの単位オーディオ情報の再生終了直ちに前記次の１つの単位オーディオ情報の前記情報記録媒体上の記録位置へ前記読取手段を移動させ、移動開始から所定の待機時間の経過後に移動後の記録位置から前記次の１つの単位オーディオ情報の読取を開始させるサーチ手段を有するように構成する。
【００２４】
また、請求項１０記載の発明は、前記再生工程は、請求項８又は９に記載の再生方法において、前記１つの単位オーディオ情報の再生終了直ちに前記次の１つの単位オーディオ情報の前記情報記録媒体上の記録位置へ読取手段を移動させ、移動開始から所定の待機時間の経過後に移動後の記録位置から前記次の１つの単位オーディオ情報の読取を開始させる移動サーチ工程を有するように構成する。
【００２５】
上記のように構成された再生装置及び方法によれば、１つの単位オーディオ情報の再生が終了すると、次に再生されるべき単位オーディオ情報の記録位置まで読取手段を移動させ、移動開始から所定の待機時間経過後に当該単位オーディオ情報の再生を開始する。従って、次に再生されるべき単位オーディオ情報の属性が変化する場合でも、それに対応する属性の変更が終了してから再生が開始されることが確保される。
【００２６】
請求項７記載の発明は、請求項６記載の再生装置において、前記待機時間は、前記属性変更手段による属性設定の変更に要する時間よりも長い時間とする。また、請求項１１記載の発明は、請求項１０記載の再生方法において、前記待機時間は、前記属性変更工程による属性設定の変更に要する時間よりも長い時間とする。従って、属性の異なる単位オーディオ情報が連続的に再生される場合に、再生装置側の属性設定変更が完了しないうちに次の単位オーディオ情報の再生が開始されることがなくなり、再生される情報の移行が円滑に行われる。
【００２７】
【発明の実施の形態】
以下に、本発明に好適な実施の形態について説明する。なお、以下に説明する実施の形態は、上記ＤＶＤに対して本発明を適用した実施の形態について説明するものである。
【００２８】
なお、以下の実施の形態においては、下記リストの左側に示した特許請求の範囲における各構成要素の一例が、下記リストの右側に示した要素から夫々構成されている。
【００２９】
単位オーディオ情報：トラック（ＰＧＣに対応）
集合オーディオ情報：グループ（ＶＴＳに対応）
単位属性情報　　　：各ＶＴＳ内のオーディオ属性情報
集合属性情報　　　：オーディオ集中情報中のオーディオ属性情報
（Ｉ）情報記録媒体の実施の形態
ＤＶＤの物理及び論理フォーマット
始めに、本発明に係る情報記録媒体の実施形態であるＤＶＤの物理的及び論理的な構成並びにその動作について、図１乃至図６を用いて説明する。
【００３０】
始めに、映像情報及び音声情報（音楽情報も含む。以下、同じ）のＤＶＤ上における記録フォーマット（物理的記録フォーマット）について図１を用いて説明する。
【００３１】
先ず、図１に示すように、実施形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ（Ｖｉｄｅｏ　Ｔｉｔｌｅ　Ｓｅｔ）３（ＶＴＳ＃１乃至ＶＴＳ＃ｎ）に分割されて記録されている。ここで、ＶＴＳとは、関連する（それに含まれる音声情報及び副映像情報の数や、仕様、対応言語等の属性が同じ）タイトル（映画等の、製作者が視聴者に提示しようとする一つの作品）を一まとめにしたセット（まとまり）であり、より具体的には、例えば、一本の同じ映画について、異なる言語の台詞等を有する複数の映画が夫々にタイトルとして記録されたり、又は、同じ映画であっても劇場版と特別版とが夫々別のタイトルとして記録されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録されている。
【００３２】
一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００３３】
ＶＴＳ３の先頭に記録されるコントロールデータ１１には、複数のセル（セルについては後述する。）を組合わせた論理的区分であるプログラムチェインに関する種々の情報であるＰＧＣＩ（Ｐｒｏｇｒａｍ　Ｃｈａｉｎ　Ｉｎｆｏｒｍａｔｉｏｎ）等の情報が記録される。また、各ＶＯＢ１０には、制御情報の他に映像情報及び音声情報の実体部分（制御情報以外の映像又は音声そのもの）が記録される。
【００３４】
更に、一のＶＯＢ１０は、夫々にＩＤ番号を有する複数のセル２０により構成されている。ここで、一のＶＯＢ１０は、複数のセル２０により完結するように構成されており、一のセル２０が二つのＶＯＢ１０に跨がることはない。
【００３５】
一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）のいずれか又は後述のナビパックのみによる構成される一つの単位である。
【００３６】
そして、一のＶＯＢユニット３０は、ＶＯＢユニット３０に含まれている映像情報等を制御対象とする制御情報が格納されているナビパック４１と、映像情報としてのビデオデータを含むビデオパック４２と、音声情報としてのオーディオデータを含むオーディオパック４３と、副映像情報としてのサブピクチャデータを含むサブピクチャパック４４とにより構成されている。ここで、ビデオデータとしては映像データのみが記録され、オーディオデータとしては音声データのみが記録される。また、サブピクチャデータとしては副映像としての文字や図形等のグラフィックデータのみが記録される。なお、ＤＶＤ１に記録可能な音声は８種類であり、記録可能な副映像の種類は３２種類であることが規格上定められている。
【００３７】
また、一のＶＯＢユニット３０に対応する再生時間（一のナビパック４１と当該一のナビパック４１に隣接するナビパック４１との間に記録されているデータに対応する再生時間）は、０．４秒以上の長さを有するように記録される。
【００３８】
更に、一のＶＯＢユニット３０において、ナビパック４１は必ずその先頭に存在するが、ビデオパック４２、オーディオパック４３及びサブピクチャパック４４の夫々は、必ずしもＶＯＢユニット３０中に存在する必要はなく、また、存在する場合にもその数や順序は任意に設定することができる。
【００３９】
ここで、図１に示すビデオパック４２、オーディオパック４３及びサブピクチャパック４４の夫々の区分を一般にパックＰという。すなわち、一のＶＯＢユニット３０においては、ビデオデータ、オーディオデータ及びサブピクチャデータが、夫々パックＰに分割されて記録されている。これらのパックＰは、本実施の形態のＤＶＤ１上に記録情報を記録する際に用いられているＭＰＥＧ２方式におけるパック処理に対応して設定される記録単位である。
【００４０】
更に、各パックＰの先頭に記録されるパックヘッダには、夫々のパックＰに含まれているデータを後述の再生装置におけるトラックバッファから読み出して夫々のバッファへの入力を開始すべき再生時間軸上の読み出し開始時刻を示すＳＣＲ（Ｓｙｓｔｅｍ　Ｃｌｏｃｋ　Ｒｅｆｅｒｅｎｃｅ）と呼ばれる読み出し開始時刻情報や、パックＰの開始であることを示すスタートコード等が記録される。また、上記各パックＰについては、通常、当該パックＰを更に細分化した記録単位であるパケット毎にビデオデータ、オーディオデータ及びサブピクチャデータが記録されるが、本実施の形態におけるＤＶＤ１では、一般に一のパックＰが一のパケットにより構成されている。
【００４１】
最後に、ナビパック４１は、再生表示させたい映像又は音声等を検索するための検索情報（具体的には、当該再生表示させたい映像又は音声等が記録されているＤＶＤ１上のアドレス等）であるＤＳＩ（Ｄａｔａ　Ｓｅａｒｃｈ　Ｉｎｆｏｒｍａｔｉｏｎ）データ５１と、ＤＳＩデータ５１に基づいて検索された映像又は音声を再生表示する際の再生表示制御に関する情報であるＰＣＩ（Ｐｒｅｓｅｎｔａｔｉｏｎ　Ｃｏｎｔｒｏｌ　Ｉｎｆｏｒｍａｔｉｏｎ）データ５０とにより構成される。このとき、ＤＳＩデータ５１及びＰＣＩデータ５０は、パケットＰＴとして夫々ＤＳＩパケット及びＰＣＩパケットを構成して記録されている。
【００４２】
更に、一のＶＯＢユニット３０に含まれている全てのビデオパック４２は、一又は複数のＧＯＰ（Ｇｒｏｕｐ　Ｏｆ　Ｐｉｃｔｕｒｅ）により構成されている。上記ＧＯＰは、本実施の形態におけるＤＶＤ１に映像情報を記録する際に採用されている画像圧縮方式であるＭＰＥＧ２（Ｍｏｖｉｎｇ　Ｐｉｃｔｕｒｅ　Ｅｘｐｅｒｔｓ　Ｇｒｏｕｐ２）方式の規格において定められている単独で再生可能な最小の画像単位である。
【００４３】
以上説明した図１に示す階層構造の記録フォーマットにおいて、夫々の区分は、ＤＶＤ１内に記録させる記録情報の製作者（以下、単に製作者という。）がその意図に応じて自在に区分設定をして記録させるものである。これらの区分毎に後述の論理構造に基づいて再生することにより、変化に富んだ種々の再生が可能となるのである。
【００４４】
次に、図１に示す物理的な区分により記録された情報を組合わせた論理的フォーマット（論理構造）について図２を用いて説明する。なお、図２に示す論理構造は、その構造で実際にＤＶＤ１上に情報が記録されているのではなく、図２に示す論理構造で図１に示す各データ（特にセル２０）を組合わせて再生するための情報（アクセス情報又は時間情報等）がＤＶＤ１上の、特にコントロールデータ１１の中に記録されているものである。
【００４５】
説明の明確化のために、図２の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが区分を識別してコマンドによってアクセスできる最小の論理的単位でもある。なお、このプログラム６０を一又は複数個纏めたものを視聴者が自由に選択して視聴することができる最小単位として製作者が定義することもでき、この単位をＰＴＴ（Ｐａｒｔ　Ｏｆ　Ｔｉｔｌｅ）という。
【００４６】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを製作者が行うことも可能となっている。
【００４７】
ここで、一のセル２０の番号については、当該セル２０を図１に示す物理フォーマットにおいて取り扱う際にはセルＩＤ番号として取り扱われ（図１中、セルＩＤ＃と示す。）、図２に示す論理フォーマットにおいて取り扱う際には後述のＰＧＣＩ中の記述順にセル番号として取り扱われる。
【００４８】
次に、複数のプログラム６０を組合わせて一のＰＧＣ（Ｐｒｏｇｒａｍ　Ｃｈａｉｎ）６１が製作者の意図に基づいて論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式及び各種コマンド（ＰＧＣ６１又はセル２０毎に製作者が指定可能なコマンド）が含まれている。なお、ＰＧＣＩのＤＶＤ１上の記録位置は、上述の通りコントロールデータ１１（図１参照）内であるが、当該ＰＧＣＩがビデオマネージャ２内のメニューに関するＰＧＣＩである場合には、当該ＰＧＣＩの記録位置は、ビデオマネージャ２に含まれるコントロールデータ（図４参照）内である。
【００４９】
また、一のＰＧＣ６１には、上記ＰＧＣＩの他に、実体的な映像及び音声等のデータがプログラム６０の組合わせとして（換言すれば、セル２０の組合わせとして）含まれることとなる。
【００５０】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【００５１】
次に、一又は複数のＰＧＣ６１により、一のタイトル６２が論理上構成される。このタイトル６２は、例えば、映像情報で言えば映画一本、音楽情報で言えばアルバム１枚に相当する単位であり、製作者がＤＶＤ１の視聴者に対して提供したい完結した情報である。
【００５２】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対する違う言語の映画、１人の音楽アーチストによる複数のアルバムがなどが夫々のタイトル６２に相当することとなる。
【００５３】
また、図２に示す一のＶＴＳ６３に相当する情報は、図１に示す一のＶＴＳ３に含まれている情報に対応している。すなわち、ＤＶＤ１には、図２に示すＶＴＳ６３内に論理上含まれる全ての情報が一のＶＴＳ３として纏めて記録されていることとなる。
【００５４】
以上説明した論理フォーマットに基づいて、物理構造において区分された情報を製作者が指定することにより、視聴者が見るべき映像又は音楽が形成されるのである。
【００５５】
以上説明したような種々の階層の情報を記録する必要があるため、上述の記録フォーマットを有する記録情報は、上記ＤＶＤ１のように、一本の映画を記録する他に、当該映画に対応する音声又は字幕等について、複数種類の言語の音声又は字幕をも同一の光ディスクに記録することが可能な大きな記憶容量を有する情報記録媒体に特に適している。
オーディオＤＶＤの内容
上述のようにＤＶＤ上には、ビデオ情報、文字情報、オーディオ情報などを混在させて記録することができる。ＤＶＤに映画などを記録する場合には、映画のビデオ情報と、これに対応するオーディオ情報が対になって記録され、さらに必要に応じて字幕などがサブピクチャ情報として記録される。これに対し、ＤＶＤ上にＣＤのようにオーディオ情報のみを記録する場合があり、その場合ＤＶＤ上には基本的にビデオ情報は記録されない（以下、このようなＤＶＤを「オーディオＤＶＤ」と呼ぶ。）。この場合、より具体的には、図１に示すＶＯＢユニット３０は、ナビパック４１と、複数のオーディオパック４３から構成され、ビデオパック、サブピクチャパックは基本的に含まれない（但し、選曲や曲紹介のための文字情報や宣伝などのための若干のビデオ情報が含まれることはありうる）。本発明は特にオーディオ情報に関連するため、以下の実施形態ではＤＶＤにはオーディオ情報のみが記録されているものとする。
【００５６】
実施態様の詳細を説明する前に、オーディオＤＶＤ上のオーディオ情報の記録態様について大まかに説明しておく。オーディオＤＶＤはＣＤに比べて記録容量がかなり大きく、１枚のＤＶＤ内に複数のＣＤに相当する音楽情報を記録することができる。オーディオＤＶＤ上で、１枚のＣＤに相当するようなオーディオ情報のまとまりを「グループ」と呼ぶことにする。例えば、ビートルズの複数のオリジナルアルバムを集めたオーディオＤＶＤがあるとする。この場合、当該オーディオＤＶＤ中には、“レット・イット・ビー”、“アビーロード”などの複数（例えば４枚）のアルバムが含まれている。この個々のアルバムに対応するオーディオ情報が個々のタイトルセット（ＶＴＳ３、図１参照）として記録される。例えば、“レット・イット・ビー”がＶＴＳ＃１に記録され、“アビーロード”がＶＴＳ＃２に記録されるという具合である。従って、この場合、各アルバムに対応するオーディオ情報のまとまりそれぞれが「グループ」に対応する。
【００５７】
上記の例では１枚のアルバムが１つのグループに対応しているが、この他にあるテーマに基づいて集められたオーディオ情報のまとまりによりグループを構成することができる。例えば、上記のＤＶＤ上に複数のオリジナルアルバムの他に、ジョンレノンがリードボーカルをとる曲を集めた「ジョンレノン・ボーカル集」（例えばＶＴＳ＃５とする）、或いは「ポールマッカートニー・ボーカル集」（例えばＶＴＳ＃６とする）というような曲集が記録されるとすると、この各々も「グループ」を構成し、それぞれ１つのＶＴＳに対応する。但し、この場合、実際の曲は上記複数のオリジナルアルバムに属する曲が再生されるだけであり、ＤＶＤ上のオーディオ情報としては上記複数のオリジナルアルバム中の曲がＶＴＳ＃５、＃６内に重複して記録されるわけではない。従って、ＶＴＳ＃５、＃６内の情報としては、ＶＴＳ＃１、＃２などに記録されたオーディオ情報のアドレスや属性などの再生制御情報のみが記録され、曲の再生は当該制御情報を参照してＶＴＳ＃１、＃２に属する実体的なオーディオ情報により行うことになる。なお、上記のようにあるテーマなどに基づいて作成されたオーディオ情報の集まり（○○集など）を「コレクション」とも呼ぶ。よって、「コレクション」とは、自身とは異なるグループ（ＶＴＳ）に記録された実体的情報を含むグループであるということもできる。
【００５８】
また、「グループ」は、ユーザが認識する曲のまとまりに対応すると考えることができる。前述の例では、１枚のＤＶＤに４枚のオリジナルアルバムと、２つのコレクションが記録されている。この場合、当該ＤＶＤに添付される内容リストとしては、合計６枚の異なるアルバムが含まれていることになる。実際には、２つのコレクションの実体的情報は４枚のオリジナルアルバムに含まれる曲により構成され、実体的オーディオ情報が重複して記録されているわけではないが、ユーザはそのような事情は認識せず、６枚の異なるアルバムが１枚のＤＶＤに記録されていると認識する。従って、ＤＶＤ上の実体的オーディオ情報の記録状態に拘わらず、グループをユーザが認識する曲のまとまりと考えることができる。
オーディオ属性情報
次に、ＤＶＤ上の記録情報のうち、特に本発明に関係するオーディオ属性情報について説明する。オーディオ属性情報とは、ＤＶＤ上に記録されるオーディオ情報の属性、具体的には、符号化方式、サンプリング周波数、量子化ビット数、チャンネル数、エンファシスの有無などをいう。本発明においては、オーディオ属性情報は、図１に示す下位階層の階層から順に、オーディオパック４３内、各ＶＴＳ３中のコントロールデータ１１内、及び、ビデオマネージャ２中のコントロールデータ内にそれぞれ記録される。以下、これらについて詳細に説明する。
【００５９】
前述のように、オーディオ情報はオーディオパック４３内に記憶されるが、オーディオ属性情報は、先ずオーディオパック４３内に記録される。図３にオーディオパック内の情報の構成を示す。オーディオ情報のタイプとしては、圧縮されたオーディオデータが記録される場合と、圧縮されていないオーディオデータが記録される場合があるが、ここでは非圧縮のオーディオデータ（リニアＰＣＭ方式）の場合を例示する。即ち、図３は、オーディオデータのタイプ（符号化方式）がリニアＰＣＭである場合のオーディオパック４３の内容を示す。
【００６０】
図示のように、オーディオパック４３は、パックヘッダ６４とオーディオパケットＡＰＴにより構成される。パックヘッダ６４には各パックＰ内のデータの再生時の制御情報である読み出し開始時刻情報や、パックＰの開始であることを示すスタートコードなどが記録される。また、オーディオパケットＡＰＴは、当該オーディオパック４３に含まれるデータがオーディオデータであることを示す情報等を含むパケットヘッダ６５と、当該オーディオパック４３に含まれるオーディオデータが圧縮されているオーディオデータであるか、又は本リニアＰＣＭ方式の如く圧縮されていないオーディオデータであるか等を示す情報を含むサブストリームＩＤ情報６６と、オーディオフレーム数情報等が記述されているオーディオフレーム情報６７と、を有する。
【００６１】
さらに、オーディオパック４３は、当該オーディオパック４３に含まれているオーディオデータの属性に関する情報であるオーディオ属性情報６８を有する。このオーディオ属性情報６８は、リニアＰＣＭ方式オーディオデータの場合、サンプリング周波数及び量子化ビット数、オーディオデータとして含まれているチャンネル数（一のスピーカから出力されるオーディオデータにより一のチャンネルが構成されており、例えば、左と右のスピーカから出力されるべきオーディオデータを含む場合には、チャンネル数は「２」となる。）、当該オーディオデータのエンファシスの有無等の情報である。オーディオパック４３は、さらに音声情報としての実体部分であって複数のオーディオフレームＡＦにより構成されているオーディオデータ４３ａを有する。上記の構成において、オーディオパック４３のうち、上記パックヘッダ６４以外の部分がオーディオパケットＡＰＴを構成する。
【００６２】
また、オーディオ属性情報は、各ＶＴＳ内のコントロールデータ１１内にも記録される。図４に、コントロールデータ１１内のオーディオ属性情報１２を示す。このように、全てのＶＴＳについて、そのコントロールデータ１１内に当該ＶＴＳ内に含まれるオーディオ情報の属性情報が記録される。このオーディオ属性情報１２の例を図５に示す。オーディオ属性情報としては、図５に示すように、オーディオ情報の符号化方式１５ｈ、マルチチャンネル情報１５ｉ、オーディオタイプ１５ｊ、アプリケーションタイプ１５ｋ、量子化ビット数１５ｍ、サンプリング周波数１５ｎ、チャンネル数１５ｏ、エンファシスの有無１５ｐなどが含まれる。符号化方式１５ｈは、ドルビーＡＣ３、リニアＰＣＭなどの符号化方式を規定し、オーディオタイプ１５ｊはそのオーディオ情報に言語（歌詞など）が含まれているか否かを規定する。アプリケーションタイプ１５ｋは、その音声情報がマルチチャンネルである場合のそれらの用途を示し、カラオケ、サラウンドなどを含む。また、量子化ビット数１５ｍ、サンプリング周波数１５ｎは、それぞれ当該オーディオ情報の符号化における量子化ビット数、サンプリング周波数を示す。また、チャンネル数１５ｏは、そのオーディオ情報のチャンネル数を示し、エンファシスの有無１５ｐはそのオーディオ情報においてエンファシスがオンされているか否かを示す。
【００６３】
さらに、オーディオ属性情報は、ビデオマネージャ２中のコントロールデータ内に、オーディオ集中情報の一部として記録される。図６に、オーディオ集中情報の例を示す。図６から分かるように、ビデオマネージャ２中のコントロールデータ１１内のオーディオ集中情報１３は、各ＶＴＳ内のコントロールデータ１１内に記述されるオーディオ管理情報の集合であるということができる。図６の例では、このＤＶＤは３つのグループを有し、この各グループがそれぞれＶＴＳに対応する。前述のようにグループはＣＤなどのアルバム１枚に相当し、ユーザからは３枚の異なるアルバムが１枚のＤＶＤに記録されていると認識される。また、トラックは曲に対応する。なお、図６のグループ３は、上述のコレクションに相当するグループである。つまり、見かけ上グループ１、２とは異なるアルバムとしてユーザに認識されるが、実体的にはグループ１、２に含まれる実体的オーディオ情報の集合により構成されている。
【００６４】
オーディオ集中情報１３の内容には、さらに各トラックのスタートアドレス及びエンドアドレスが含まれる。これらはＤＶＤ上の絶対アドレスである。さらに、オーディオ属性情報として、前述の各ＶＴＳ内のコントロールデータ１１に記録されるオーディオ属性情報１２のうち、少なくともサンプリング周波数、量子化ビット数、チャンネル数、エンファシスの有無など、当該オーディオ情報の再生に必要不可欠な属性情報が含められる。オーディオ集中情報には、さらに再生時間管理などのための、各トラックの再生時間及び各グループ毎の再生時間が記録される。
【００６５】
前述のように各グループ（ＶＴＳ）毎に、オーディオ属性情報１２がコントロールデータ１１内に記録されており、これを参照することにより各グループ内の曲の再生を行うことができるのであるが、これらオーディオ属性情報１２を取得するためには、各ＶＴＳ３内のコントロールデータ１１にアクセスし、その内容を読み出さなければならない。ここで、ＤＶＤではグループ（ＶＴＳ）毎に異なる属性のオーディオ情報を記録することができるので、異なるグループに属し、それゆえ属性の異なる複数の曲が連続して再生されることがある。このような状況は、先ず、ユーザが手動の選択により、異なるグループ内の曲を選択した場合に生じる。また、図６のグループ３の如きコレクションと呼ばれるグループの再生時にも起こる。コレクションでは、各トラックの実体的オーディオ情報は複数のグループに属し、オーディオ属性の異なるトラックが混在しているのが一般的だからである。
【００６６】
従って、このような場合、サンプリング周波数、量子化ビット数などのオーディオ属性が変化するため、再生装置がこれに対応するための時間が必要となる。オーディオ集中情報１３がビデオマネージャ２内に用意されていないとすると、ある曲の再生後に続けて異なるオーディオ属性のトラックを再生する場合、そのトラックが含まれるグループに対応するＶＴＳ内のオーディオ属性情報をサーチし、次の曲に対応する曲の属性を取得するまで、再生装置には属性が変化することはわからない。従って、次の曲へのサーチ及びトラックジャンプ（即ち、ピックアップの移動）が比較的短時間で終了する場合には、再生装置が属性の変化を認識し、Ｄ／Ａ変換器の周波数の変更などの処理を完了する前に次の曲の再生が開始し、曲の先頭が正しく再生できないという不具合が生じうる。通常、再生装置側は周波数の変更など設定変更の完了をＤＶＤの読取を制御するコントローラに報告する構成にはなっていないため、このような問題が生じる可能性は高い。
【００６７】
そこで、上述のように、本発明ではさらに各ＶＴＳのコントロールデータ１１内のオーディオ管理情報を集め、これをオーディオ集中情報１３に含めてビデオマネージャ２内に記述しておく。そして、ＤＶＤが再生装置にセットされた段階でビデオマネージャ２内のオーディオ集中情報１３を読み取り、システムコントローラ中のメモリなどに記憶しておく。これにより、コレクション再生の場合など、異なるオーディオ属性のトラックが連続的に再生される時には、オーディオ集中情報中のオーディオ属性情報を参照すれば、次に再生すべき曲のオーディオ属性を事前に知ることができる。これにより、上記のような問題を回避することができる。なお、再生装置の実際の処理については、後述する。
（ＩＩ）記録装置の実施の形態
次に、上述のオーディオ属性情報を含むオーディオ集中情報をＤＶＤ１に記録するための記録装置の実施の形態について、図７を用いて説明する。始めに、本実施形態の記録装置の構成について説明する。
【００６８】
図７に示すように、実施の形態に係る記録装置Ｓ１は、オーディオソース７０と、メモリ７１と、信号処理部７２と、ハードディスク装置７３及び７４と、コントローラ７５と、多重器７６と、変調器７７と、記録手段としてのマスタリング装置７８とにより構成されている。
【００６９】
次に、動作を説明する。
【００７０】
オーディオソース７０には、ＤＶＤ１に記録すべきオーディオ情報の素材である記録情報Ｒが夫々の情報毎に一時的に記録されている。そして、オーディオソース７０に一時的に記録された記録情報Ｒは、信号処理部７２からの要求により信号処理部７２に出力される。
【００７１】
信号処理部７２は、オーディオソース７０から出力された記録情報ＲをＡ／Ｄ変換し、更に必要に応じて圧縮処理を施し、オーディオ信号Ｓｒとして出力する。出力されたオーディオ信号Ｓｒはハードディスク装置７３に一時的に記憶される。
【００７２】
これらと並行して、メモリ７１は、上記記録情報Ｒの再生を制御するための制御情報（図１における、ビデオマネージャ２、コントロールデータ１１及びナビパック４１並びに夫々のオーディオパック４３を構成するためのパックヘッダ等の各制御情報等）が記載されたキューシートＳＴに基づき予め入力された当該制御情報を一時的に記憶し、信号処理部７２からの要求に基づいて制御情報信号Ｓｉとして出力する。
【００７３】
信号処理部７２は、オーディオソース７０から出力された上記タイムコードＴｔ及びメモリ７１から出力される制御情報信号Ｓｉに基づき、タイムコードＴｔを参照して上記オーディオ信号Ｓｒに対応するアクセス情報信号Ｓａｃを生成して出力し、当該アクセス情報Ｓａｃがハードディスク装置７４に一時的に記憶される。以上の処理が記録情報Ｒ全体について行われる。
【００７４】
記録情報Ｒの全てについて上記の処理が終了すると、コントローラ７５は、ハードディスク装置７３からオーディオ信号Ｓｒを読み出すとともにハードディスク装置７４からアクセス情報信号Ｓａｃを読み出し、これらに基づいて付加情報Ｄａを生成し、付加情報信号Ｓａとしてハードディスク装置７４に記憶する。本実施形態におけるオーディオ集中情報１３の具体的な内容は、各グループ（ＶＴＳ）毎にＤＶＤの製作者により予め決定され、ハードディスク７４に記憶されている。そして、信号処理部７２の制御により、オーディオ集中情報１３及びオーディオ属性情報１２は付加情報Ｄａに含められる。即ち、オーディオ情報６８（図３参照）は各オーディオパック内に記録される情報として付加情報Ｄａに含められ、オーディオ属性情報１２（図４参照）は各ＶＴＳ３内のコントロールデータ１１に記録される情報として付加情報Ｄａ内に含められる。さらに、オーディオ集中情報１３（図６参照）は、ビデオマネージャ２内に記録される情報として付加情報Ｄａ内に含められる。
【００７５】
一方、コントローラ７５は、上記信号処理部７２、ハードディスク装置７３及び７４の夫々の動作の時間管理を行い、ハードディスク装置７４から読み出した付加情報Ｄａに対応する付加情報信号Ｓａ出力すると共に、オーディオ信号Ｓｒと付加情報信号Ｓａとを時間軸多重するための情報選択信号Ｓｃｃを生成して出力する。
【００７６】
その後、オーディオ信号Ｓｒと付加情報信号Ｓａはハードディスク装置７３又は７４から読み出され、コントローラ７５からの情報選択信号Ｓｃｃに基づき、多重器７６により時間軸多重されて情報付加多重信号Ｓａｐとして出力される。この情報付加多重信号Ｓａｐの段階では、記録すべき情報は、コントローラ７５の情報選択信号Ｓｃｃを用いた切り換え動作によって制御情報とオーディオ情報とが合成され、図１及び図４に示す物理構造（物理フォーマット）となっている。また、各オーディオパック４３は、図３に示す構造となっている。
【００７７】
その後、変調器７７は、出力された情報付加多重処理信号Ｓａｐに対してリードソロモン符号等のエラー訂正コード（ＥＣＣ）の付加及び８−１６変調等の変調を施してディスク記録信号Ｓｍを生成し、マスタリング装置７８に出力する。
【００７８】
最後に、マスタリング装置７８は、当該ディスク記録信号Ｓｍを光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【００７９】
以上のようにして、オーディオ属性情報６８がオーディオパック４３内に含められ、オーディオ属性情報１２が各ＶＴＳ内のコントロールデータ１１に含められ、さらに、オーディオ集中情報１３がビデオマネージャ２内に含められたＤＶＤが作成される。
（ＩＩＩ）再生装置の実施の形態
次に、上記の記録装置Ｓ１によりＤＶＤ１に記録された情報を再生するための再生装置の実施の形態を、図８及び図９を用いて説明する。
【００８０】
図８に示すように、実施の形態に係る再生装置Ｓ２は、ピックアップ８０と、復調訂正部８１と、ストリームスイッチ８２及び８４と、トラックバッファ８３と、システムバッファ８５と、デマルチプレクサ８６と、ＶＢＶ（Ｖｉｄｅｏ　ＢｕｆｆｅｒＶｅｒｉｆｉｅｒ）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、システムコントローラ１００と、ドライブコントローラ１０１と、スピンドルモータ１０２と、スライダモータ１０３とにより構成されている。なお、図８に示す構成は、再生装置Ｓ２の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【００８１】
次に、動作を説明する。
【００８２】
ピックアップ８０は、図示しないレーザダイオード、ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓｐを出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【００８３】
ピックアップ８０から出力された検出信号Ｓｐは、復調訂正部８１に入力され、復調処理及び誤り訂正処理が行われて復調信号Ｓｄｍが生成され、ストリームスイッチ８２及びシステムバッファ８５に出力される。
【００８４】
復調信号Ｓｄｍが入力されたストリームスイッチ８２は、ドライブコントローラ１０１からのスイッチ信号Ｓｓｗ１によりその開閉が制御され、閉のときには、入力された復調信号Ｓｄｍをそのままスルーしてトラックバッファ８３に出力する。一方、ストリームスイッチ８２が開のときには、復調信号Ｓｄｍは出力されず、不要な情報（信号）がトラックバッファ８３に入力されることがない。
【００８５】
復調信号Ｓｄｍが入力されるトラックバッファ８３は、ＦＩＦＯ（Ｆｉｒｓｔ　Ｉｎ　Ｆｉｒｓｔ　Ｏｕｔ）メモリ等により構成され、入力された復調信号Ｓｄｍを一時的に記憶すると共に、ストリームスイッチ８４が閉とされているときには、記憶した復調信号Ｓｄｍを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓｄｍを連続的に出力し、当該不連続による再生の中断を解消するためのものである。
【００８６】
連続的に復調信号Ｓｄｍが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓｓｗ２により開閉が制御される。
【００８７】
一方、トラックバッファ８３と並行して復調信号Ｓｄｍが入力されるシステムバッファ８５は、ＤＶＤ１をローディングしたときに最初に検出され、ＤＶＤ１に記録されている情報全体に関する管理情報（ビデオマネージャ２等）又はＶＴＳ３毎のコントロールデータ１１を蓄積して制御情報Ｓｃとしてシステムコントローラ１００に出力すると共に、再生中にナビパック４１毎のＤＳＩデータ５１を一時的に蓄積し、システムコントローラ１００に制御情報Ｓｃとして出力する。
【００８８】
ストリームスイッチ８４を介して復調信号Ｓｄｍが連続的に入力されたデマルチプレクサ８６においては、当該復調信号Ｓｄｍから各パック毎にビデオデータ、オーディオデータ４３ａ、サブピクチャデータ及びナビパック毎のＰＣＩデータを抽出し、ビデオ信号Ｓｖ、副映像信号Ｓｓｐ、オーディオ信号Ｓａｄ並びにＰＣＩ信号Ｓｐｃとして、夫々ＶＢＶバッファ８７、サブピクチャバッファ８９、オーディオバッファ９２及びＰＣＩバッファ９４に出力する。
【００８９】
このとき、デマルチプレクサ８６は、各パック（オーディオパック４３を含む。）及びパケット（オーディオパケットＡＰＴを含む。）からパックヘッダ６４及びパケットヘッダ６５等を抽出し、夫々に含まれる情報をヘッダ信号Ｓｈｄとしてシステムコントローラ１００に出力する。このヘッダ信号Ｓｈｄには、デマルチプレクサ８６において分離されたオーディオパック４３のパックヘッダ６４、パケットヘッダ６５、サブストリームＩＤ情報６６、オーディオフレーム情報６７、オーディオデータ情報６８等が含まれている。
【００９０】
また、オーディオ信号Ｓａｄには、図３に示す形態のオーディオパック４３に分割されたオーディオデータ４３ａが含まれており、各オーディオパック４３には、図３に示すようなオーディオフレームＡＦが複数個含まれている。
【００９１】
ビデオ信号Ｓｖが入力されるＶＢＶバッファ８７は、ＦＩＦＯメモリ等により構成され、ビデオ信号Ｓｖを一時的に蓄積し、ビデオデコーダ８８に出力する。ＶＢＶバッファ８７は、ＭＰＥＧ２方式により圧縮されているビデオ信号Ｓｖにおける各ピクチャ（図２参照）毎のデータ量のばらつきを補償するためのものである。そして、データ量のばらつきが補償されたビデオ信号Ｓｖがビデオデコーダ８８に入力され、ＭＰＥＧ２方式により復調が行われて復調ビデオ信号Ｓｖｄとして混合器９１に出力される。
【００９２】
一方、副映像信号Ｓｓｐが入力されるサブピクチャバッファ８９は、入力された副映像信号Ｓｓｐを一時的に蓄積し、サブピクチャデコーダ９０に出力する。サブピクチャバッファ８９は、副映像信号Ｓｓｐに含まれるサブピクチャデータ４４を、当該サブピクチャデータ４４に対応するビデオデータ４２と同期して出力するためのものである。そして、ビデオデータ４２との同期が取られた副映像信号Ｓｓｐがサブピクチャデコーダ９０に入力され、復調が行われて復調副映像信号Ｓｓｐｄとして混合器９１に出力される。
【００９３】
ビデオデコーダ８８から出力された復調ビデオ信号Ｓｖｄ及びサブピクチャデコーダ９０から出力された復調副映像信号Ｓｓｐｄ（対応する復調ビデオ信号Ｓｖｄとの同期が取れている。）は、混合器９１により混合され、最終的な表示すべき映像信号Ｓｖｐとして図示しないＣＲＴ（Ｃａｔｈｏｄｅ　Ｒａｙ　Ｔｕｂｅ）等の表示部に出力される。
【００９４】
オーディオ信号Ｓａｄが入力されるオーディオバッファ９２は、ＦＩＦＯメモリ等により構成され、入力されたオーディオ信号Ｓａｄを一時的に蓄積し、オーディオデコーダ９３に出力する。オーディオバッファ９２は、システムコントローラ１００から出力されるヘッダ制御信号Ｓｈｃに基づいて、オーディオ信号Ｓａｄを対応する映像情報を含むビデオ信号Ｓｖ又は副映像信号Ｓｓｐに同期して出力させるためのものであり、対応する映像情報の出力状況に応じてオーディオ信号Ｓａｄを遅延させる。そして、対応する映像情報と同期するように時間調整されたオーディオ信号Ｓａｄは、オーディオデコーダ９３に出力され、システムコントローラ１００から出力されるヘッダ制御信号Ｓｈｃに基づいて、リニアＰＣＭ方式における再生処理が施されて復調オーディオ信号Ｓａｄｄとして図示しないスピーカ等に出力される。なお、音楽情報のみを含むオーディオＤＶＤにおいては、映像情報との同期処理は不要である。オーディオデコーダ９３における処理については、後程詳述する。
【００９５】
所望の情報へのアクセス直後の再生等において一時的に音声を中断する（ポーズする）必要があることが検出された場合には、システムコントローラ１００からポーズ信号Ｓｃａがオーディオデコーダ９３に出力され、当該オーディオデコーダ９３において一時的に復調オーディオ信号Ｓａｄｄの出力を停止する。
【００９６】
ＰＣＩ信号Ｓｐｃが入力されるＰＣＩバッファ９４は、ＦＩＦＯメモリ等により構成され、入力されたＰＣＩ信号Ｓｐｃを一時的に蓄積し、ＰＣＩデコーダ９５に出力する。ＰＣＩバッファ９４は、ＰＣＩ信号Ｓｐｃに含まれるＰＣＩデータと当該ＰＣＩデータが対応するビデオデータ、オーディオデータ４３又はサブピクチャデータ等とを同期させ、当該ビデオデータ、オーディオデータ４３又はサブピクチャデータ等にＰＣＩデータを適用させるためのものである。そして、ＰＣＩバッファ９４により対応するビデオデータ、オーディオデータ４３又はサブピクチャデータ等と同期したＰＣＩ信号Ｓｐｃは、ＰＣＩデコーダ９５によりＰＣＩデータに含まれるハイライト情報が分離され、ハイライト信号Ｓｈｉとしてハイライトバッファ９６に出力されると共に、ＰＣＩデータのハイライト情報以外の部分がＰＣＩ情報信号Ｓｐｃｉとしてシステムコントローラ１００に出力される。
【００９７】
ハイライト信号Ｓｈｉが入力されるハイライトバッファ９６は、ＦＩＦＯメモリ等により構成され、入力されたハイライト信号Ｓｈｉを一時的に蓄積し、ハイライトデコーダ９７に出力する。ハイライトバッファ９６は、当該ハイライト情報のための映像情報が含まれている副映像信号Ｓｓｐに対応して、ハイライト情報に対応する選択項目（選択ボタン）の表示状態の変更が正確に行われるための時間軸補償を行うためのバッファである。そして、時間軸補償が行われたハイライト信号Ｓｈｉは、ハイライトデコーダ９７においてデコードされ、当該ハイライト信号Ｓｈｉに含まれる情報が復調ハイライト信号Ｓｈｉｄとしてシステムコントローラ１００に出力される。この復調ハイライト信号Ｓｈｉｄの中に上記システムコントローラ１００内のレジスタを設定するための情報が含まれている。
【００９８】
ここで、システムコントローラ１００は、当該復調ハイライト信号Ｓｈｉｄに基づき、ハイライト情報による表示状態の変更を行うべく、上記のハイライト制御信号Ｓｃｈを出力することとなる。このとき、システムコントローラ１００は、復調ハイライト信号Ｓｈｉｄに含まれるハイライト情報の有効期間を示す有効期間情報に基づいて当該ハイライト情報に基づくメニュー画面等を用いた選択動作を有効とすべく、入力部９８からの入力信号Ｓｉｎによる選択動作を受け付けると共に、上記ハイライト制御信号Ｓｃｈを出力することとなる。
【００９９】
更に、システムコントローラ１００は、システムバッファ８５から入力される制御情報Ｓｃ、デマルチプレクサ８６から入力されるヘッダ信号Ｓｈｄ、システムＰＣＩデコーダ９５から入力されるＰＣＩ情報信号Ｓｐｃｉ及びリモコン等の入力部９８から入力される入力信号Ｓｉｎに基づき、それらの信号に対応した正しい再生を行うために上記のスイッチ信号Ｓｓｗ２、ストリーム選択信号Ｓｌｃ、ヘッダ制御信号Ｓｈｃ、ポーズ信号Ｓｃａ、ハイライト制御信号Ｓｃｈを出力すると共に、再生装置Ｓ２の動作状況等を表示するために表示信号Ｓｄｐを液晶表示装置等のディスプレイ９９に出力する。
【０１００】
更にまた、システムコントローラ１００は、上記ＤＳＩ情報信号Ｓｄｓｉ等により、シームレス再生のためにサーチ等のトラックジャンプの処理が必要であることを検出したときには、ドライブコントローラ１０１に対して、当該トラックジャンプの処理に対応するシームレス制御信号Ｓｃｓｌを出力する。
【０１０１】
そして、シームレス制御信号Ｓｃｓｌが入力されたドライブコントローラ１０１は、スピンドルモータ１０２又はスライダモータ１０３に対して駆動信号Ｓｄを出力する。この駆動信号Ｓｄにより、スピンドルモータ１０２又はスライダモータ１０３は、光ビームＢが再生すべきＤＶＤ１上の記録位置に照射されるようにピックアップ２を移動させる（図８破線矢印参照）と共に、ＤＶＤ１の回転数をＣＬＶ（Ｃｏｎｓｔａｎｔ　Ｌｉｎｅａｒ　Ｖｅｌｏｃｉｔｙ：線速度一定）制御する。これと並行して、ドライブコントローラ１０１は、ピックアップ２が移動中であり復調訂正部８１から復調信号Ｓｄｍが出力されないときには、シームレス制御信号Ｓｃｓｌに基づきスイッチ信号Ｓｓｗ１を出力し、ストリームスイッチ８２を開とすると共に、復調信号Ｓｄｍが出力され始めると、ストリームスイッチ８２を閉成して復調信号Ｓｄｍをトラックバッファ８３に出力する。
【０１０２】
次に、本発明に特に関連するオーディオデコーダ９３の構成及び動作について説明する。図９にオーディオデコーダ９３の構成を示す。図示のように、オーディオデコーダ９３は、デジタルフィルタなどを含む信号処理部１２０と、Ｄ／Ａコンバータ１２１と、アンプなどを含むアナログ出力回路１２２と、デジタル出力回路１２３と、ＲＡＭ１２４ａを含むシステムマイコン１２４と、クロック回路１２５と、を備える。
【０１０３】
システムマイコン１２４は、システムコントローラ１００との間で制御信号Ｓｃａを交換し、クロック回路１２５、信号処理部１２０、Ｄ／Ａコンバータ１２１、アナログ出力回路１２２の動作制御を行う。システムマイコン１２４は、内部にＲＡＭ１２４ａを有する。ＲＡＭ１２４ａは、システムコントローラ１００から制御信号Ｓｃａとして供給されるオーディオ属性情報を一時的に記憶する。
【０１０４】
システムマイコン１２４は、ＲＡＭ１２４ａ内に記憶されたオーディオ属性情報を参照し、その内容をクロック回路１２５及び信号処理部１２０へ供給する。具体的には、システムマイコン１２４は、オーディオ属性情報中のサンプリング周波数情報をクロック回路１２５へ供給する。クロック回路１２５は発振器を有し、指示されたサンプリング周波数に対応するクロック信号ｆｓを信号処理部１２０へ供給する。また、システムマイコン１２４は、オーディオ属性情報中のサンプリング周波数、量子化ビット数、チャンネル数、エンファシスの有無の情報を信号処理部１２０へ供給し、Ｄ／Ａコンバータ１２１へチャンネル数情報を提供する。さらに、システムマイコンは１２４はアナログ出力回路１２２へ、各チャンネルの信号の増幅度などの情報を供給する。各チャンネル毎の増幅度の情報は、オーディオ属性情報に含めて、システムコントローラ１００から供給することができる。
【０１０５】
信号処理部１２０は、クロック回路１２５からのクロック信号ｆｓを使用し、システムマイコン１２４から得た符号化方式（リニアＰＣＭ又はドルビーＡＣ３など）、サンプリング周波数、量子化ビット数などの情報に従って、オーディオバッファ９２から供給されるオーディオ信号の復号化、帯域制限などの処理を行い、更に、エンファシスの有無の情報に従ってディエンファシス処理を行い、Ｄ／Ａコンバータ１２１へ出力する。Ｄ／Ａコンバータ１２１は、システムマイコン１２４から得たチャンネル情報に従って、入力された信号をチャンネル毎に分割し、さらに各チャンネル毎のアナログ信号としてアナログ出力回路１２２へ出力する。アナログ出力回路１２２は、各チャンネルの信号毎に適正な増幅処理を施し、アナログオーディオ信号として図示しないスピーカなどへ出力する。
【０１０６】
また、信号処理部１２０は、デジタル出力回路１２３を介してディジタルオーディオ信号Ｓａｄｄを外部へ出力する。
【０１０７】
次に、オーディオデコーダ９３の再生時の動作について説明する。次に再生すべきトラック（曲）が指定されると、再生装置Ｓ２は、ビデオマネージャ２内のオーディオ集中情報１３中のオーディオ属性情報を参照し、指定されたトラックのオーディオ属性情報に従ってオーディオデコーダ９３内の動作制御を行う。ビデオマネージャ２内のオーディオ集中情報１３中には図６に示すように各トラックの記録されているＤＶＤ上のアドレス情報も記録されている。従って、システムコントローラ１００は、このアドレス情報（スタートアドレス）に基づいて、ドライブコントローラ１０１へ制御信号Ｓｃｓｌを送り、ピックアップ８０を上記スタートアドレスへ移動させる。この処理は、ユーザによる当該トラックの再生指示後直ちに開始する。即ち、上記のオーディオデコーダ９３内の制御と時間的に並行して行う。
【０１０８】
ピックアップ８０を指示されたトラックのスタートアドレスに移動させた後、システムコントローラ１００は、ピックアップ８０を一時的に待機状態とする。即ち、直ちに読取は開始しない。これは、上述のオーディオデコーダ９３内のオーディオ属性の設定が終了してから読取（トラックの再生）が行われることを確実にするためである。システムコントローラ１００及びオーディオデコーダ９３内のシステムマイコン１２４がオーディオデコーダ９３内のオーディオ属性の設定を完了するのに要する時間は、同一の再生装置ではほぼ一定であるが、デジタル出力回路１２３から出力されたデジタル出力信号に図示しない外部ディジタルアンプ、ＤＡコンバータがロックする時間は機器により変わり通常１−２秒であり、５秒を超えることは殆ど無い。また、ピックアップ８０を指示されたトラックへ移動させるのに要する時間は、移動先トラックのＤＶＤ上の位置（移動距離）に応じて変動する。従って、ＤＶＤ上の比較的近いアドレスへピックアップを移動させる場合には、移動が短時間で終了する。その場合、ピックアップの移動終了後直ちに読取（再生）を開始すると、オーディオデコーダ９３内のオーディオ属性の設定が完了しておらず、正しくオーディオ信号を再生することができない、若しくは先述した外部ディジタルアンプ、ＤＡコンバータがロックしていない場合が生じうる。この理由から、システムコントローラ１００は、ピックアップ８０を対応するスタートアドレスに移動させた後、所定の時間Ｘの間待機させ、その後に読取を開始させる。オーディオデコーダ９３内のオーディオ属性の設定に要する時間は、通常１秒、外部ディジタルアンプ、ＤＡコンバータがロックする時間は１−２秒程度であり、５秒を超えることは殆どありえないので、ピックアップ８０の待機時間は、０．５秒乃至５秒の間でシステムの処理速度に応じ、ＤＶＤの機能としてユーザが決定することができる。もちろんデフォルトの設定も可能である。
【０１０９】
次に、複数のトラック（曲）の連続再生制御について、図１０のフローチャートを参照して説明する。なお、図１０のフローチャートの開始時には、同一のＤＶＤ上に記録されたある曲の再生が既に行われているものとする。また、図６に示すオーディオ集中情報１３は、予めＤＶＤのビデオマネージャ２から読み取られ、システムコントローラ内のメモリ１００ａ内に記憶されている。なお、図１０の動作は、主としてシステムコントローラ１００及びオーディオデコーダ９３内のシステムマイコン１２４により実行される。
【０１１０】
先ず、システムコントローラ１００が、曲の変更指示を受け取る（ステップＳ１）。曲の変更指示を受け取る場合は、種々の態様がある。例えば、ユーザがＤＶＤ上に記録された複数のグループのうちの一つを選択し、これを再生する場合である。例えば、図６のオーディオ集中情報を参照し、ユーザがグループ１を選択した場合、システムコントローラ１００は、グループ１のトラック１からトラック６までを順に再生する。この際、トラック１からトラック２、トラック３、と順に曲の変更指示がされることになり、各トラックの再生終了時に曲変更指示がシステムコントローラ１００へ与えられる。
【０１１１】
曲の変更指示がなされると、次に、システムマイコン１２４は信号処理部１２０に制御信号を送り、内部のデジタルフィルタによりデジタルの“０”データをＤ／Ａコンバータ１２１へ出力する（ステップＳ３）。これにより、Ｄ／Ａコンバータの出力アナログ信号が零レベルとなり、その結果オーディオ出力がミュートされる。
【０１１２】
次に、システムコントローラ１００は、メモリ１００ａ内のオーディオ集中情報１３を参照し、次に再生すべきトラックのオーディオ属性を取得する（ステップＳ５）。この場合に取得されるオーディオ属性情報は、少なくともサンプリング周波数、量子化ビット数、チャンネル数及びエンファシスの有無を含む。また、システムコントローラ１００は同時に次の曲のスタートアドレス及びエンドアドレスをオーディオ集中情報１３から取得する。
【０１１３】
次に、システムコントローラ１００は取得したオーディオ属性情報をオーディオデコーダ９３内のシステムマイコン１２４へ送る。システムマイコン１２４は、受け取ったオーディオ属性情報を、その時点で内部のＲＡＭ１２４ａに記憶されている、現在まで再生していたトラックのオーディオ属性情報と比較する（ステップＳ７）。両者が一致している場合、オーディオデコーダ９３内のオーディオ属性設定の変更は不要であるので、ステップＳ１５以下の再生処理へ移行する。
【０１１４】
一方、両者が一致しない場合はオーディオデコーダ９３内のオーディオ属性の設定変更が必要となる。よって、先ず、システムマイコン１２４はクロック回路１２５を制御してサンプリングクロックの周波数ｆｓの変更を指示し（ステップＳ９）、さらに、信号処理部１２０を制御して変更後のサンプリング周波数及び量子化ビット数のデジタル“０”データをＤ／Ａコンバータ１２１へ出力させる指示を行う（ステップＳ１１）。これにより、Ｄ／Ａコンバータ１２１は、内部のＰＬＬ回路などによりＤ／Ａ変換のためのサンプリング周波数を変更することになる。さらに、システムマイコン１２４は、信号処理部１２０を制御してエンファシスの有無の切り換え及びチャンネル数の切り換えの指示を行う（ステップＳ１３）。これらステップＳ９乃至Ｓ１３の処理により、オーディオデコーダ９３内のオーディオ属性の変更指示が完了する。なお、オーディオデコーダ９３内での実際の設定変更処理は、通常、前述のように１秒程度を要するが、機器固有の値で変化は少ない。しかし、デジタル出力が接続される外部ディジタルアンプやＤＡコンバータは個々にロック時間が異なる。この時間を考慮して前記待機時間Ｘが予め決定されている。なお、この待機時間Ｘをユーザがプレーヤの機能として設定することもできる。
【０１１５】
次に、システムコントローラ１００はステップＳ５で取得したスタートアドレスへピックアップ８０を移動させるサーチ指示をドライブコントローラ１０１へ発し（ステップＳ１５）、その指示を発してからの経過時間（サーチ時間）Ｔの計測を開始する（ステップＳ１７）。次に、ピックアップの移動が完了したか否かが判断され（ステップＳ１９）、完了すると経過上述した所定のサーチ時間Ｔの計測を終了する（ステップＳ２１）。
【０１１６】
次に、システムコントローラ１００は、計測されたサーチ時間Ｔを上述した所定の待機時間Ｘと比較する。サーチ時間Ｔが待機時間Ｘより大きい場合には（ステップＳ２３：ＮＯ）、オーディオデコーダ９３内のオーディオ属性変更や、外部ディジタルアンプ、ＤＡコンバータのロックが既に完了していると見做し、当該トラックの再生指示を発し、オーディオ出力のミュートを解除する（ステップＳ２７）。これにより、当該トラックの再生が開始される。一方、サーチ時間Ｔが待機時間Ｘより小さい場合（ステップＳ２３：ＹＥＳ）、システムコントローラ１００は両者の差（Ｘ−Ｔ）の時間だけ待機した後、当該トラックの再生指示を発する（ステップＳ２７）。以上のようにして、曲の連続再生が実行される。
【０１１７】
曲の連続再生において、オーディオ属性が変化する場合と変化しない場合の例を述べる。図６のオーディオ集中情報を有するＤＶＤの再生において、ユーザがグループ１のトラック１から６を順に再生するように指示したとすると、各トラックの再生終了時にシステムコントローラ１００へ次のトラックへの変更指示が与えられる。しかし、この場合、次のトラックは同一のオーディオ属性であるので、ステップＳ７はＹＥＳとはなり、同一のオーディオ属性で次のトラックの再生が継続する。
【０１１８】
一方、ユーザがグループ３のトラック１から５を順に再生するように指示したとする。グループ３はコレクションのグループであるので、その中に含まれるトラックのオーディオ属性が異なる場合がある。例えば、グループ３のトラック１からトラック２へ、トラック４からトラック５へ再生が移行する時には、オーディオ属性が変化するので、ステップＳ７はＮＯとなり、オーディオデコーダ９３内で新たなオーディオ属性への設定変更がなされ、その後に再生が開始される。
【０１１９】
この場合、もしＤＶＤのビデオマネージャ２内にオーディオ集中情報が記録されていないとすると、ステップＳ５で次のトラックの属性情報を取得する際、システムコントローラ１００は内部メモリ１００ａ内に記憶された複数のＶＴＳ毎のコントロールデータ１１の中から対応する曲が含まれるＶＴＳのオーディオ属性情報１２（図４参照）を検索し、これを参照して同様のオーディオ属性情報を取得する必要が生じる。従って、曲の変更指示を受けてからオーディオデコーダ９３内のオーディオ属性の変更が完了するまでの時間が長くなる。よって、オーディオ属性の変更完了を待たずに次の曲の再生を開始すれば曲の先頭が正しく再生できなくなる。また、オーディオ属性の変更完了を待って再生開始するとしても、次の曲の再生開始まで相当な時間待たされることになるという問題がある。
【０１２０】
この点、本発明によれば、オーディオ属性情報がビデオマネージャ２内にオーディオ集中情報の一部として記録されているので、これを参照することにより直ちに次の曲のオーディオ属性を取得することができ、上記のような問題を生ずることなく迅速な再生が可能となる。また、曲の変更指示があってから所定の待機時間Ｘの間は、再生を開始しないように構成されているので、次のトラックへのピックアップの移動（サーチ）に要する時間に拘わらずオーディオデコーダ９３内のオーディオ属性の変更のための時間や、外部ディジタルアンプ、ＤＡコンバータがロックするための時間が確保されるので、正しい再生が保証される。
ビデオマネージャ内にオーディオ集中情報を有しないＤＶＤの再生
上記の説明は、ビデオマネージャ内にオーディオ集中情報が記録されているＤＶＤの再生について説明した。しかし、オーディオ集中情報がビデオマネージャ内に記録されていない場合でも、以下の代替的方法により上記の問題を生ずることなく、迅速な再生を行うことができる。
【０１２１】
通常、オーディオＤＶＤが再生装置にセットされた時点でビデオマネージャ２及び各ＶＴＳ内のコントロールデータ１１内の情報はシステムコントローラ１００内のメモリ１００ａに記憶される。よって、この時点で各ＶＴＳ内のオーディオ属性情報１２などを利用して図６に示すようなオーディオ集中情報テーブルを作成し、再生装置内のメモリに記憶しておく。具体的には、システムコントローラ１００は、先ず、ビデオマネージャ２内のＶＴＳ情報を参照して各ＶＴＳの記録アドレスを取得し、そのアドレスに移動して当該ＶＴＳ内のコントロールデータ１１に含まれるオーディオ属性情報を取得する。そして、その内容を読み出して内部メモリ１００ａ内に形成する。次に、当該ＶＴＳ内に記録されているＰＴＴサーチポインタから対応するＰＴＴを構成するＰＧＣＩ及びＰＧＣを特定し、当該ＰＴＴに対応するオーディオ情報（トラック）のＤＶＤ上の記録アドレスを検出して上記メモリ１００ａ内に記憶する。以上の動作を全てのＶＴＳに対して行うことにより、システムコントローラ１００はメモリ１００ａ内に、図６に示すような集中情報テーブルを形成する。
【０１２２】
そして、再生の際には、曲の変更指示を受けると、各ＶＴＳ内のオーディオ属性情報１２ではなく、予め作成されメモリ１００ａに記憶されたオーディオ集中情報テーブルの内容を参照して同様の再生を行う。これにより、ビデオマネージャ内にオーディオ集中情報が記録されていないタイプのＤＶＤを再生する場合でも、同等の効果を得ることができる。
【０１２３】
なお、上記の説明において、オーディオ属性が変化する際の例として、コレクションであるグループ内のトラックの再生を例に採ったが、本発明の適用はこれには限られない。例えば、ユーザが再生する曲を１曲毎に指定する場合などにおいて、図６のグループ１内のあるトラックの再生中に、ユーザが次の曲としてグループ２内のあるトラックを指定したような場合にも、連続して再生するトラックのオーディオ属性が異なることが生じる。本発明は、このように複数のトラック（曲）が連続して再生されるあらゆる場合に適用可能である。また、同一属性の曲をランダムにつないで再生、記録する応用において、その曲間を一定にできる機能を実現している。
【０１２４】
【発明の効果】
以上説明したように、請求項１に記載の発明によれば、当該記録媒体上の全ての集合オーディオ情報に対応する単位属性情報が集合属性情報として記録される。よって、集合属性情報を参照することにより、全ての単位オーディオ情報の属性を容易且つ迅速に得ることができる。
【０１２５】
請求項２記載の発明によれば、前記集合属性情報は、前記情報記録媒体において最初に読み取られる位置に配置されるように構成されるので、情報記録媒体を再生装置に装着すると、先ず前記集合属性情報が読み取られ、当該情報に基づいた再生制御が可能となる。
【０１２６】
請求項３記載の発明によれば、前記集合属性情報は、少なくとも前記単位オーディオ情報を符号化する際のサンプリング周波数、量子化ビット数、チャンネル数、及び、エンファシス処理の有無の情報を含む。従って、再生装置はこの情報を容易に取得することができ、迅速な再生が可能となる。
【０１２７】
請求項４、５、８又は９に記載の発明によれば、情報記録媒体上に記録された集合属性情報、又は、単位属性情報から作成された集合属性情報テーブルを参照して、再生装置が属性の設定及びその変更を行いつつ単位オーディオ情報の再生を実行する。
【０１２８】
従って、連続して再生されるべき単位オーディオ情報の属性が異なり、再生装置において対応する設定変更が必要となる場合でも、次に再生されるべき単位オーディオ情報の属性が集合属性情報又は集合属性情報テーブルから迅速に取得でき、再生装置の設定変更が容易かつ迅速に行われる。
【０１２９】
請求項６又は１０に記載の発明によれば、１つの単位オーディオ情報の再生が終了すると、次に再生されるべき単位オーディオ情報の記録位置まで読取手段を移動させ、移動開始から所定の待機時間経過後に当該単位オーディオ情報の再生を開始する。従って、次に再生されるべき単位オーディオ情報の属性が変化する場合でも、それに対応する属性の変更が終了してから再生が開始されることが確保される。
【０１３０】
請求項７又は１１記載の発明によれば、待機時間は、前記属性変更工程による属性設定の変更に要する時間よりも長い時間とされる。従って、属性の異なる単位オーディオ情報が連続的に再生される場合に、再生装置側の属性設定変更が完了しないうちに次の単位オーディオ情報の再生が開始されることがなくなり、再生される情報の移行が円滑に行われる。
【図面の簡単な説明】
【図１】記録情報の物理的構造（物理フォーマット）を示す図である。
【図２】記録情報の論理的構造（論理フォーマット）を示す図である。
【図３】オーディオパックの構造の例を示す図である。
【図４】オーディオ属性情報及びオーディオ集中情報の記録位置を示す図である。
【図５】ＶＴＳ内のオーディオ属性情報の内容を示す図である。
【図６】オーディオ集中情報の内容例を示す図である。
【図７】ＤＶＤ記録装置の概要構成を示すブロック図である。
【図８】ＤＶＤ再生装置の概要構成を示すブロック図である。
【図９】オーディオデコーダの概要構成を示すブロック図である。
【図１０】曲の連続再生時の制御を示すフローチャートである。
【符号の説明】
１…ＤＶＤ
２…ビデオマネージャ
３、６３…ＶＴＳ
１０…ＶＯＢ
１１…コントロールデータ
１２…オーディオ属性情報
１３…オーディオ集中情報
２０…セル
３０…ＶＯＢユニット
４１…ナビパック
６０…プログラム
６１、６１Ａ、６１Ｂ…ＰＧＣ
６２…タイトル
７０…オーディオソース
７１…メモリ
７２…信号処理部
７３、７４…ハードディスク装置
７５…コントローラ
７８…マスタリング装置
８０…ピックアップ
８３…トラックバッファ
８５…システムバッファ
９２…オーディオバッファ
９３…オーディオデコーダ
９８…入力部
９９…ディスプレイ
１００…システムコントローラ
１０１…ドライブコントローラ
Ｂ…光ビーム
Ｓ１…記録装置
Ｓ２…再生装置
【図１】
2004005985.tif 000003
【図２】
2004005985.tif 000004
【図３】
2004005985.tif 000005
【図４】
2004005985.tif 000006
【図５】
2004005985.tif 000007
【図６】
2004005985.tif 000008
【図７】
2004005985.tif 000009
【図８】
2004005985.tif 000010
【図９】
2004005985.tif 000011
【図１０】
2004005985.tif 000012
【手続補正書】
【提出日】平成15年9月8日(2003.9.8)
【手続補正１】
【補正対象書類名】明細書
【補正対象項目名】特許請求の範囲
【補正方法】変更
【補正の内容】
【特許請求の範囲】
【請求項１】
管理情報領域と、オーディオ情報を記録するオーディオ情報領域と、からなる情報記録媒体であって、
前記オーディオ情報領域は複数のタイトルセットから構成され、
前記タイトルセットには、
前記オーディオ情報と、当該オーディオ情報の再生制御情報と、から構成されるタイプの第１のタイトルセットと、
前記再生制御情報のみからなるタイプの第２のタイトルセットと、
の２つのタイプのタイトルセットが含まれていることを特徴とする情報記録媒体。
【請求項２】
前記第１のタイトルセットにおいて、
前記オーディオ情報は、複数の物理的なセルに分割されて記録されており、
前記再生制御情報は、前記セルの再生順序を少なくとも記述したものであることを特徴とする請求項１に記載の情報記録媒体。
【請求項３】
前記第２のタイトルセットにおいて、
前記再生制御情報は、当該第２のタイトルセットとは異なるタイトルセット内の前記オーディオ情報を再生するための再生制御情報であることを特徴とする請求項１に記載の情報記録媒体。
【請求項４】
前記再生制御情報は、属性情報を更に含むことを特徴とする請求項１乃至３のいずれか１項に記載の情報記録媒体。
【請求項５】
請求項１乃至４のいずれか１項に記載の情報記録媒体から情報を再生する情報再生装置であって、
情報を読み取る読取手段と、
前記オーディオ情報を再生する再生手段と、
前記管理情報及び再生制御情報に基づいて前記再生手段を制御する制御手段と、
を備えたことを特徴とする情報再生装置。
【請求項６】
請求項１乃至４のいずれか１項に記載の情報記録媒体から情報を再生する情報再生方法であって、
情報を読み取る読取工程と、
前記オーディオ情報を再生する再生工程と、
前記管理情報及び再生制御情報に基づいて前記再生工程を制御する制御工程と、
を含むことを特徴とする情報再生方法。
【手続補正２】
【補正対象書類名】明細書
【補正対象項目名】００１１
【補正方法】変更
【補正の内容】
【００１１】
【課題を解決するための手段】
上記の課題を解決するために、請求項１に記載の発明は、管理情報領域と、オーディオ情報を記録するオーディオ情報領域と、からなる情報記録媒体であって、前記オーディオ情報領域は複数のタイトルセットから構成され、前記タイトルセットには、前記オーディオ情報と、当該オーディオ情報の再生制御情報と、から構成されるタイプの第１のタイトルセットと、前記再生制御情報のみからなるタイプの第２のタイトルセットと、の２つのタイプのタイトルセットが含まれている。
【手続補正３】
【補正対象書類名】明細書
【補正対象項目名】００１２
【補正方法】変更
【補正の内容】
【００１２】
上記の課題を解決するために、請求項５に記載の発明は、請求項１乃至４のいずれか１項に記載の情報記録媒体から情報を再生する情報再生装置であって、情報を読み取る読取手段と、前記オーディオ情報を再生する再生手段と、前記管理情報及び再生制御情報に基づいて前記再生手段を制御する制御手段と、を備える。
【手続補正４】
【補正対象書類名】明細書
【補正対象項目名】００１３
【補正方法】変更
【補正の内容】
【００１３】
上記の課題を解決するために、請求項６に記載の発明は、請求項１乃至４のいずれか１項に記載の情報記録媒体から情報を再生する情報再生方法であって、情報を読み取る読取工程と、前記オーディオ情報を再生する再生工程と、前記管理情報及び再生制御情報に基づいて前記再生工程を制御する制御工程と、を含む。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】変更
【補正の内容】
【００２９】
（Ｉ）情報記録媒体の実施の形態
ＤＶＤの物理及び論理フォーマット
始めに、本発明に係る情報記録媒体の実施形態であるＤＶＤの物理的及び論理的な構成並びにその動作について、図１乃至図６を用いて説明する。


【手続補正２０】
【補正対象書類名】明細書
【補正対象項目名】０１２４
【補正方法】削除
【補正の内容】
【手続補正２１】
【補正対象書類名】明細書
【補正対象項目名】０１２５
【補正方法】削除
【補正の内容】
【手続補正２２】
【補正対象書類名】明細書
【補正対象項目名】０１２６
【補正方法】削除
【補正の内容】
【手続補正２３】
【補正対象書類名】明細書
【補正対象項目名】０１２７
【補正方法】削除
【補正の内容】
【手続補正２４】
【補正対象書類名】明細書
【補正対象項目名】０１２８
【補正方法】削除
【補正の内容】
【手続補正２５】
【補正対象書類名】明細書
【補正対象項目名】０１２９
【補正方法】削除
【補正の内容】
【手続補正２６】
【補正対象書類名】明細書
【補正対象項目名】０１３０
【補正方法】削除
【補正の内容】